(57)【要約】【課題】好適なメニュー画面を提供できる画像表示装置、表示制御方法および表示制御プログラムを提供する。【解決手段】画像表示装置は、決定部と変更部とを有する。決定部は、表示部に表示された、複数の商品に関する複数の画像を含むメニュー画面に対するユーザの視線に基づき、複数の商品のなかから複数の商品の組合せを決定する。変更部は、表示部に表示されたメニュー画面の表示内容を、複数の商品の組合せに応じて変更する。【選択図】図１
2017146941.tif 000002
【特許請求の範囲】
【請求項１】
表示部に表示された、複数の商品に関する複数の画像を含むメニュー画面に対するユーザの視線に基づき、前記複数の商品のなかから複数の商品の組合せを決定する決定部と、
前記表示部に表示されたメニュー画面の表示内容を、前記複数の商品の組合せに応じて変更する変更部と、
を有することを特徴とする画像表示装置。
【請求項２】
前記変更部は、前記複数の商品の組合せに関する前記複数の画像の組合せが互いに隣接するように前記メニュー画面の表示内容を変更する、
ことを特徴とする請求項１に記載の画像表示装置。
【請求項３】
前記変更部は、前記複数の商品の組合せに関する前記複数の画像を強調表示する、
ことを特徴とする請求項１または２に記載の画像表示装置。
【請求項４】
前記変更部は、前記複数の商品の組合せに関する情報を含むように前記メニュー画面の表示内容を変更する、
ことを特徴とする請求項１〜３のいずれか１つに記載の画像表示装置。
【請求項５】
前記変更部は、前記複数の商品の組合せを除く商品に関する画像の表示内容を変更する、
ことを特徴とする請求項１〜４のいずれか１つに記載の画像表示装置。
【請求項６】
前記変更部は、変更後の前記メニュー画面に対する前記視線が前記複数の商品の組合せから外れた場合に、前記メニュー画面の表示内容を変更前の表示内容に戻す、
ことを特徴とする請求項１〜５のいずれか１つに記載の画像表示装置。
【請求項７】
前記決定部は、前記視線が停留した複数の商品を前記複数の商品の組合せに決定する、
ことを特徴とする請求項１〜６のいずれか１つに記載の画像表示装置。
【請求項８】
前記決定部は、前記視線が指定回数以上繰り返し移動した複数の商品を前記複数の商品の組合せに決定する、
ことを特徴とする請求項１〜６のいずれか１つに記載の画像表示装置。
【請求項９】
前記決定部は、前記視線が指定時間以上停留した複数の商品を前記複数の商品の組合せに決定する、
ことを特徴とする請求項１〜６のいずれか１つに記載の画像表示装置。
【請求項１０】
表示部に表示された、複数の商品に関する複数の画像を含むメニュー画面に対するユーザの視線に基づき、前記複数の商品のなかから複数の商品の組合せを決定し、
前記表示部に表示されたメニュー画面の表示内容を、前記複数の商品の組合せに応じて変更する、
処理をコンピュータが実行することを特徴とする表示制御方法。
【請求項１１】
表示部に表示された、複数の商品に関する複数の画像を含むメニュー画面に対するユーザの視線に基づき、前記複数の商品のなかから複数の商品の組合せを決定し、
前記表示部に表示されたメニュー画面の表示内容を、前記複数の商品の組合せに応じて変更する、
処理をコンピュータに実行させることを特徴とする表示制御プログラム。
【発明の詳細な説明】
【技術分野】
【０００１】
本発明は、画像表示装置、表示制御方法および表示制御プログラムに関する。
【背景技術】
【０００２】
近年、表示部に商品に関する画像の一覧を表示することで、ユーザが表示された一覧から商品を選択し、選択した商品を購入する手法がある。ユーザに対して商品一覧を表示する手法として、ユーザの視線を利用するものがある。例えば、ユーザが注視している商品を検出し、検出した商品を商品一覧画面内の別領域に表示する。
【先行技術文献】
【特許文献】
【０００３】
【特許文献１】特開２０１２−２２５８９号公報
【発明の概要】
【発明が解決しようとする課題】
【０００４】
しかしながら、上述の手法では、例えば、ユーザが１つの商品に注視しているときに、当該商品を別領域に表示するが、ユーザが複数の商品に注視している場合に、好適なメニュー画面を提供することは困難である。
【０００５】
一つの側面では、本発明は、好適なメニュー画面を提供できる画像表示装置、表示制御方法および表示制御プログラムを提供することにある。
【課題を解決するための手段】
【０００６】
一つの態様では、画像表示装置は、決定部と変更部とを有する。決定部は、表示部に表示された、複数の商品に関する複数の画像を含むメニュー画面に対するユーザの視線に基づき、前記複数の商品のなかから複数の商品の組合せを決定する。変更部は、前記表示部に表示されたメニュー画面の表示内容を、前記複数の商品の組合せに応じて変更する。
【発明の効果】
【０００７】
好適なメニュー画面を提供できる。
【図面の簡単な説明】
【０００８】
【図１】図１は、実施例の画像表示装置の構成の一例を示すブロック図である。
【図２】図２は、視線検出の一例を示す図である。
【図３】図３は、商品ＤＢの一例を示す図である。
【図４】図４は、メニュー画面に対する視線の動きの一例を示す図である。
【図５】図５は、変更後のメニュー画面の一例を示す図である。
【図６】図６は、比較商品を強調表示する場合の、変更後のメニュー画面の一例を示す図である。
【図７】図７は、詳細情報を表示する場合の、変更後のメニュー画面の一例を示す図である。
【図８】図８は、詳細情報を表示する場合の、変更後のメニュー画面の他の一例を示す図である。
【図９】図９は、非比較商品の表示を変更する場合の、変更後のメニュー画面の一例を示す図である。
【図１０】図１０は、変更後のメニュー画面に対する視線の動きの一例を示す図である。
【図１１】図１１は、実施例の画像表示処理の一例を示すフローチャートである。
【図１２】図１２は、表示制御プログラムを実行するコンピュータの一例を示す図である。
【発明を実施するための形態】
【０００９】
以下、図面に基づいて、本願の開示する画像表示装置、表示制御方法および表示制御プログラムの実施例を詳細に説明する。なお、本実施例により、開示技術が限定されるものではない。また、以下の実施例は、矛盾しない範囲で適宜組みあわせてもよい。
【実施例】
【００１０】
図１は、実施例の画像表示装置の構成の一例を示すブロック図である。図１に示す画像表示装置１００は、表示部に表示された、複数の商品に関する複数の画像を含むメニュー画面に対するユーザの視線に基づき、複数の商品のなかから複数の商品の組合せを決定する。画像表示装置１００は、表示部に表示されたメニュー画面の表示内容を、複数の商品の組合せに応じて変更する。これにより、画像表示装置１００は、好適なメニュー画面を提供できる。
【００１１】
図１に示す画像表示装置１００は、視線検出部１１１と、表示部１１２と、商品データベース（商品ＤＢ）１２０と、制御部１３０とを有する。なお、画像表示装置１００は、図１に示す機能部以外にも既知のコンピュータが有する各種の機能部、例えば各種の通信デバイスや、入力デバイス、音声出力デバイス等の機能部を有することとしてもかまわない。画像表示装置１００の一例としては、飲食店で食券を販売する券売機を採用できる。画像表示装置１００には、上記の券売機のみならず、切符の券売機や自動販売機、コンビニエンスストアの店舗内に設置されるマルチメディア端末等の店舗設置型の端末を採用することもできる。また、画像表示装置１００は、上記の店舗設置型の端末の他にもパーソナルコンピュータやタブレット端末、スマートフォン等のネットワークに接続しショッピングを行える端末等を採用することもできる。
【００１２】
なお、画像表示装置１００は図示されていない受付部を有してもよい。受付部は、例えば、ユーザからの各種操作を受け付ける入力デバイスにより実現される。受付部１１３は、例えば、入力デバイスとして、タッチパネル等によって実現される。この場合、表示部１１２の表示デバイスと、受付部の入力デバイスとは、一体化されるようにしてもよい。また、受付部は、例えば、入力デバイスとして、ボタンやキーボード、マウス等によって実現されるようにしてもよい。また、例えば、ジェスチャ認識装置や音声認識装置によって実現されるようにしてもよい。受付部は、例えば、表示部１１２に表示されている商品に対する選択操作を受け付けてよい。
【００１３】
視線検出部１１１は、例えば、ユーザを撮像した撮像画像に基づいてユーザの視線を検出する。撮像画像は、例えば、赤外線ＬＥＤ（Light  Emitting  Diode）から赤外線を照射されたユーザの上半身を赤外線カメラで撮像した画像である。なお、視線検出部１１１は、図示しない赤外線カメラから撮像画像を取得するようにしてもよく、視線検出部１１１が図示しない赤外線ＬＥＤおよび赤外線カメラを有するようにしてもよい。また、撮像画像は、赤外線カメラで撮像された画像でなくてもよく、例えば、可視光カメラで撮像された画像であってもよい。
【００１４】
また、視線検出部１１１は、視線に代えて用いることができる他の情報を視線として検出してもよい。例えば、ユーザを撮像した撮像画像に基づいてユーザの顔向きを判別し、顔の正面方向を視線方向として検出してもよい。また、ユーザを撮像した撮像画像に基づいてユーザの体の向きを判別し、胴体の前側正面方向を視線方向として検出してもよい。また、ユーザの顔表面までの距離、すなわち奥行情報を測定可能な装置を用いて計測される、ユーザの顔の立体的な位置情報を用いて、ユーザの顔向きを判別し、顔の正面方向を視線方向として検出してもよい。
【００１５】
視線検出部１１１は、所定間隔で撮像される撮像画像から、例えば赤外線がユーザの角膜上で反射した位置（角膜反射）およびユーザの瞳孔の位置を検出する。視線検出部１１１は、角膜反射と瞳孔の位置に基づいて、ユーザの視線を検出する。視線検出部１１１は、検出した視線を決定部１３１に出力する。図２は、視線検出の一例を示す図である。図２に示すように、視線検出部１１１は、時刻ｔ１において視線位置（Ｘ１、Ｙ１）を検出する。
【００１６】
時刻ｔ１から時刻ｔ２までの間にユーザの視線が移動した場合、視線検出部１１１は、時刻ｔ２において、視線位置（Ｘ１、Ｙ１）から視線が移動した距離だけ離れた視線位置（Ｘ２、Ｙ２）を検出する。この場合、視線位置（Ｘ１、Ｙ１）、（Ｘ２、Ｙ２）を結ぶ線分が、ユーザの視線が移動した軌跡となる。また、時刻ｔ２から時刻ｔ３までの間にユーザの視線が移動せず停留した場合、視線検出部１１１は、時刻ｔ３において、時刻ｔ２とおなじ視線位置（Ｘ２、Ｙ２）を検出する。ここで、停留の判定は、例えば、所定時間内に複数回同じ位置で視線を検出した場合や、所定回数以上連続して同じ位置で視線を検出した場合、停留していると判断することができる。この場合、視線位置（Ｘ２、Ｙ２）は、視線の停留位置となる。なお、視線が停留した場合に検出する視線位置は、前の時刻と同じ視線位置でなくてもよく、前の時刻における視線位置までの距離が所定距離以下であってもよい。この場合、例えば、複数の視線位置の重心を停留位置としてもよい。なお、視線位置は、例えば、表示部１１２に表示する画面を含むＸＹ座標平面上の位置である。視線検出部１１１は、例えば、時刻と視線位置とを対応付けて制御部１３０に出力する。
【００１７】
図１の説明に戻って、表示部１１２は、各種情報を表示するための表示デバイスである。表示部１１２は、例えば、表示デバイスとして液晶ディスプレイ等によって実現される。表示部１１２は、制御部１３０から入力されたメニュー画面等の各種画面を表示する。ここで、メニュー画面は、画像表示装置１００が設置される店舗で提供される商品を表示する画面である。
【００１８】
商品ＤＢ１２０は、画像表示装置１００が設置される店舗で提供される商品を管理するデータベースである。商品ＤＢ１２０は、商品の特徴を商品ごとに記憶する。図３は、商品ＤＢの一例を示す図である。図３に示すように、商品ＤＢ１２０は、「商品名」、「値段」といった項目を有する。
【００１９】
商品ＤＢ１２０は、商品の値段や原材料、割引クーポンの有無、商品の販売時期等の商品の特徴を示す情報を商品Ａ、Ｂ・・・ごとに記憶する。図３では、商品ＤＢ１２０は、例えば、商品名「商品Ａ」、値段「１２００円」、原材料「ａ、ｂ」・・・のように、商品の項目ごとに特徴を記憶する。なお、商品ＤＢ１２０が記憶する商品の特徴は、図３に示す例に限られない。例えば、商品ＤＢ１２０が、商品のジャンルや、商品の色や、新製品か否かを示す情報を特徴として記憶するようにしてもよい。
【００２０】
図１の説明に戻って、制御部１３０は、例えば、ＣＰＵ（Central  Processing  Unit）やＭＰＵ（Micro  Processing  Unit）等によって、内部の記憶装置に記憶されているプログラムがＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現されるようにしてもよい。制御部１３０は、決定部１３１と、変更部１４０とを有し、以下に説明する情報処理の機能や作用を実現または実行する。なお、制御部１３０の内部構成は、図１に示した構成に限られず、後述する情報処理を行う構成であれば他の構成であってもよい。
【００２１】
決定部１３１は、視線検出部１１１の検出結果に基づいて表示部１１２に表示されるメニュー画面のなかから複数の商品の組合せを決定する。決定部１３１は、特定部１３２と抽出部１３３と判定部１３４と表示決定部１３５とを有する。
【００２２】
特定部１３２は、表示部１１２にメニュー画面が表示されている場合に、視線検出部１１１からユーザの視線位置が入力されると、入力された視線位置に基づいてユーザの視線が停留した複数の商品を特定する。
【００２３】
図４は、メニュー画面に対する視線の動きの一例を示す図である。なお、図４も含め、以後の表示画面例では、商品の画像が表示されている例を示しているが、表示対象をこれに限る必要はない。例えば、表示対象は、商品の静止画だけでなく、アニメーションのある画像や映像であってもよい。なお、商品および商品に対応する画像は、その数が限定されず、それぞれ１つ以上の場合であってもよい。
【００２４】
図４に示すように、メニュー画面１０は、例えば、複数の商品Ａ〜Ｆに関する複数の画像１１Ａ〜１１Ｆを含む。画像１１Ａ〜１１Ｆは、対応する商品Ａ〜Ｆの特徴を含む。画像１１Ａ〜１１Ｆは、例えば、商品Ａ〜Ｆの商品名および値段を含む。なお、画像１１Ａ〜１１Ｆは、上記の商品名および値段のみならず、商品の外観を示す画像や原材料、商品のサイズ等、商品に関する情報を含むこともできる。また、メニュー画面１０は、次のメニュー画面への遷移を受け付けるボタン１２を含む。
【００２５】
図４に示す直線は、視線が移動している場合の視線の軌跡を示している。また、丸は、視線が停留している場合の停留位置を示している。なお、丸の大きさは、視線の停留時間を示している。図４では、ユーザは、商品Ａ〜Ｃ、Ｆの順に停留しながら視線を移動させた後、商品Ａ、Ｆを往復して視線を移動させている。特定部１３２は、例えば、視線を指定回数以上交互に往復して移動させた商品Ａ、Ｆを特定し、抽出部１３３に特定した商品Ａ、Ｆを通知する。なお、指定回数は、あらかじめ決められた回数であり、２以上の回数であればよい。
【００２６】
また、特定部１３２は、視線が停留した複数の商品Ａ〜Ｃ、Ｆのなかから停留時間が長い２つの商品Ａ、Ｂを特定してもよい。この場合の停留時間は、所定時間内に、または同一画面が表示されている間に検出された、商品ごとに積算した停留時間であってもよい。また、特定部１３２は、停留回数に応じて２つの商品Ａ、Ｆを特定してもよい。また、特定部１３２は、所定時間あたりに商品に視線が停留した回数である停留頻度に応じて２つの商品Ａ、Ｆを特定してもよい。また、特定部１３２は、これら視線の停留時間、往復回数、停留頻度および停留回数を組み合わせて商品Ａ、Ｆを特定してもよい。
【００２７】
また、特定部１３２は、３つ以上の商品を特定してもよい。この場合、特定部１３２は、例えば、視線を指定回数以上繰り返し移動させた３つ以上の商品を特定する。また、特定部１３２は、停留時間や停留回数に応じて３つ以上の商品を特定してもよい。このように、特定部１３２は、ユーザが視線を往復させる等、複数の商品を比較している場合に、当該商品を特定する。特定部１３２は、特定した商品を抽出部１３３に出力する。
【００２８】
図１の説明に戻って、抽出部１３３は、商品ＤＢ１２０を参照し、特定部１３２が特定した商品Ａ、Ｆの詳細な特徴を抽出する。抽出部１３３は、例えば、メニュー画面１０に表示されない商品Ａ、Ｆの特徴を商品ＤＢ１２０から抽出する。図４では、商品名および値段をメニュー画面１０に表示している。そこで、抽出部１３３は、例えば、図３に示す商品ＤＢ１２０から原材料やサイズ等の特徴を抽出する。また、抽出部１３３は、例えば、メニュー画面１０の表示対象に含まれている特徴か否かにかかわらず、特定した商品Ａ、Ｆで異なる特徴を抽出するようにしてもよい。抽出部１３３は、例えば、抽出した特徴を表示決定部１３５に出力する。
【００２９】
判定部１３４は、表示部１１２に表示するメニュー画面１０の表示内容を変更可能か否かを判定する。ユーザは、例えば、メニュー画面１０に含まれる商品全体を大まかに把握した後に、商品購入を詳細に検討する場合がある。そこで、判定部１３４は、例えば、メニュー画面１０を表示してから所定時間が経過した場合に、メニュー画面１０の表示内容を変更可能であると判定する。判定部１３４は、判定結果を表示決定部１３５に出力する。
【００３０】
また、判定部１３４は、例えば、ユーザの視線の動きに基づき、視線が所定時間以上停留した商品の間を、所定回数往復した場合に、表示内容を変更可能であると判定してもよい。すなわち、判定部１３４は、特定部１３２が複数の商品を特定した場合に、表示内容を変更可能であると判定してもよい。また、判定部１３４は、例えば、ユーザの視線がメニュー画面１０に含まれる複数の商品上を移動した後に、所定の商品上に停留した場合に、表示内容を変更可能であると判定するようにしてもよい。また、ユーザは、商品ではなく、例えば、表示部１１２外の所定位置を見ながら商品の購入を検討する場合がある。そこで、判定部１３４は、例えば、視線が、商品以外の位置に所定時間以上停留している場合に、表示内容を変更可能であると判定するようにしてもよい。なお、メニュー画面１０において、各商品に対して視線の停留時間長がほぼ同等であった場合には、表示内容を変更しないと判定してもよい。
【００３１】
表示決定部１３５は、判定部１３４が表示内容を変更可能であると判定した場合に、特定部１３２が特定した商品を比較商品の組合せに決定する。表示決定部１３５は、例えば、視線検出部１１１が図４に示す視線の動きを検出した場合、商品Ａ、Ｆを比較商品の組合せに決定する。また、表示決定部１３５は、抽出部１３３が抽出した商品Ａ、Ｆに関する特徴を比較商品Ａ、Ｆの詳細情報に決定する。表示決定部１３５は、決定した比較商品Ａ、Ｆの組合せおよび詳細情報を変更部１４０に出力する。
【００３２】
図１の説明に戻って、変更部１４０は、表示決定部１３５が決定した比較商品Ａ、Ｆの組合せに応じて、表示部１１２に表示するメニュー画面１０を変更する。メニュー画面１０に含まれる複数の商品を比較するようにユーザの視線が移動した場合、変更部１４０は、ユーザが複数の商品をより容易に比較できるように、メニュー画面１０の表示内容を変更する。図５は、変更後のメニュー画面の一例を示す図である。図５に示すように、変更部１４０は、比較商品Ａ、Ｆに関する画像１１Ａ、１１Ｆが隣接するように、メニュー画面１０における画像１１Ａ〜１１Ｆの配置を変更する。
【００３３】
また、変更部１４０は、表示決定部１３５が決定した比較商品Ａ、Ｆを強調表示することで、メニュー画面１０の表示内容を変更してもよい。図６は、比較商品を強調表示する場合の、変更後のメニュー画面の一例を示す図である。図６に示すように、変更部１４０は、比較商品Ａ、Ｆに関する画像１１Ａ、１１Ｆの表示色を他の商品Ｂ〜Ｅに関する画像１１Ｂ〜１１Ｅの表示色と異なる色に変更することで、メニュー画面１０の表示内容を変更する。なお、比較商品は、表示色の変更以外の方法で強調表示してもよく、例えば、文字色を変更したり、画像サイズを大きくしたりすることで強調表示してもよい。
【００３４】
また、変更部１４０は、表示決定部１３５が決定した比較商品Ａ、Ｆの詳細情報に関する画像をメニュー画面１０に表示することで、メニュー画面１０の表示内容を変更してもよい。図７は、詳細情報を表示する場合の、変更後のメニュー画面の一例を示す図である。図７に示すように、変更部１４０は、商品Ａ〜Ｆに関する画像１１Ａ〜１１Ｆに加え、比較商品Ａの詳細情報に関する画像１３Ａおよび比較商品Ｆの詳細情報に関する画像１３Ｆをメニュー画面１０に含めて表示部１１２に表示する。また、変更部１４０は、比較商品Ａ、Ｆを強調表示するようにしてもよい。なお、図７では、変更部１４０は、メニュー画面１０の右側に詳細情報に関する画像１３Ａ、１３Ｆを表示しているが、詳細情報を表示する位置は、これに限定されない。変更部１４０は、例えば、メニュー画面１０の下側など所定位置に詳細情報に関する画像１３Ａ、１３Ｆを表示するようにしてもよい。また、変更部１４０は、例えば、比較商品Ａ、Ｆに関する画像１１Ａ、１１Ｆの周囲に詳細情報に関する画像１３Ａ、１３Ｆを表示するようにしてもよい。この場合、変更部１４０は、例えば、画像１３Ａ、１３Ｆを、商品Ａ〜Ｆに関する画像１１Ａ〜１１Ｆの少なくとも一部に重畳させて表示するようにしてもよい。
【００３５】
また、変更部１４０は、比較商品Ａ、Ｆの詳細情報に関する画像１３Ａ、１３Ｆをメニュー画面１０に表示するとともに、比較商品Ａ、Ｆのいずれか一方を強調表示するようにしてもよい。図８は、詳細情報を表示する場合の、変更後のメニュー画面の他の一例を示す図である。図８に示すように、変更部１４０は、比較商品Ａの表示色をその他の商品Ｂ〜Ｆの表示色と異なる色にすることで、比較商品Ａを強調表示する。また、変更部１４０は、例えば、商品Ａに関する画像１１Ａに「おすすめ！」といった付加情報を含めることで、比較商品Ａを強調表示する。変更部１４０は、例えば、比較商品Ａ、Ｆのうち店舗側が販売を促進したい商品を強調表示する。また、変更部１４０は、例えば、比較商品Ａ、Ｆのうち割引クーポンの利用が可能な商品等、お得な商品を強調表示するようにしてもよい。なお、比較商品Ａ、Ｆのいずれを強調表示するか、決定部１３１の表示決定部１３５が決定するようにしてもよい。
【００３６】
また、変更部１４０は、比較商品Ａ、Ｆを除く商品Ｂ〜Ｅ、すなわち非比較商品Ｂ〜Ｅの表示を変更するようにしてもよい。図９は、非比較商品の表示を変更する場合の、変更後のメニュー画面の一例を示す図である。図９に示すように、変更部１４０は、例えば、非比較商品Ｂ〜Ｅを透過表示する。また、変更部１４０は、例えば、非比較商品Ｂ〜Ｅの表示サイズが小さくなるように表示を変更するようにしてもよい。
【００３７】
また、変更部１４０は、メニュー画面１０の表示内容を変更した後のユーザの視線の動きに応じて、メニュー画面１０の表示内容を変更前の表示内容に戻してよい。図１０は、変更後のメニュー画面に対する視線の動きの一例を示す図である。図１０に示すように、ユーザの視線は、強調表示された比較商品Ａ、Ｆを複数回往復するように移動した後、非比較商品Ｃに移動したとする。この場合、変更部１４０は、メニュー画面１０の表示内容を変更前の内容に戻す。すなわち、変更部１４０は、比較商品Ａ、Ｆの強調表示を終了する。このように、表示決定部１３５で決定した商品の組合せ以外の商品に視線が停留した場合、変更部１４０は、メニュー画面１０の表示内容を変更前に戻す。
【００３８】
なお、メニュー画面１０の表示内容を変更前に戻すか否かは、決定部１３１の判定部１３４で判定するようにしてもよい。なお、変更部１４０による強調表示の変更の仕方には、いくつかのバリエーションが考えられる。例えば、比較商品Ａ、Ｆの強調表示を終了した後、その他の商品についての表示を変更しなくてもよい。また、例えば、比較商品Ａ、Ｆの強調表示を終了せずに継続し、さらに商品Ｃも強調表示の対象に加えてもよい。また、例えば、比較商品Ａ、Ｆの強調表示を終了した後、強調表示の対象を商品Ｃに変更して、改めて強調表示を行ってもよい。また、強調表示の対象としていた商品Ａ、Ｆについての強調表示の終了のさせ方は、元の表示に切り替えてもよいし、強調度合を徐々に少なくして元の表示に戻してもよい。
【００３９】
次に、実施例の画像表示装置１００の動作について説明する。図１１は、実施例の画像表示処理の一例を示すフローチャートである。
【００４０】
視線検出部１１１は、画像表示装置１００の前にユーザが立つと、ユーザの視線検出を開始する（ステップＳ１）。変更部１４０は、視線検出部１１１が視線検出を開始すると、メニュー画面１０を表示部１１２に表示する（ステップＳ２）。視線検出部１１１は、メニュー画面１０に対するユーザの視線位置を検出する（ステップＳ３）。視線検出部１１１は、検出した視線位置を決定部１３１に出力する。
【００４１】
決定部１３１の特定部１３２は、視線検出部１１１が検出した視線位置に基づいて、比較商品を特定する（ステップＳ４）。また、抽出部１３３は、特定した比較商品の特徴を抽出する。判定部１３４は、メニュー画面１０の表示内容を変更するか否かを判定する（ステップＳ５）。判定部１３４は、メニュー画面１０の表示内容を変更しないと判定した場合には（ステップＳ５：否定）、ステップＳ３に戻る。判定部１３４は、メニュー画面１０の表示内容を変更すると判定した場合には（ステップＳ５：肯定）、表示決定部１３５に対して決定指示を出力する。表示決定部１３５は、決定指示が入力されると、比較商品の組合せを決定する。また、変更部１４０は、表示決定部１３５が決定した比較商品の組合せに応じてメニュー画面１０の表示内容を変更する（ステップＳ６）。
【００４２】
視線検出部１１１は、変更後のメニュー画面１０に対するユーザの視線位置を検出する（ステップＳ７）。判定部１３４は、メニュー画面１０の表示内容を元に戻すか否かを判定する（ステップＳ８）。判定部１３４は、メニュー画面１０の表示内容を元に戻さないと判定した場合には（ステップＳ８：否定）、ステップＳ７に戻る。判定部１３４は、メニュー画面１０の表示内容を元に戻すと判定した場合には（ステップＳ８：肯定）、変更部１４０に対して表示内容を戻す指示を出力する。変更部１４０は、表示内容を戻す指示が入力されると、メニュー画面１０の表示内容を変更前の表示内容に戻す（ステップＳ９）。これにより、画像表示装置１００は、好適なメニュー画面を提供できる。
【００４３】
このように、画像表示装置１００は、表示部１１２に表示された、複数の商品に関する複数の画像を含むメニュー画面に対するユーザの視線に基づき、複数の商品のなかから複数の商品の組合せを決定する。また、画像表示装置１００は、表示部１１２に表示されたメニュー画面の表示内容を、複数の商品の組合せに応じて変更する。その結果、好適なメニュー画面を提供できる。
【００４４】
また、画像表示装置１００は、複数の商品の組合せに関する複数の画像の組合せが互いに隣接するようにメニュー画面の表示内容を変更する。その結果、ユーザが興味を示す商品について比較しやすいメニュー画面を提供できる。
【００４５】
また、画像表示装置１００は、複数の商品の組合せに関する複数の画像を強調表示する。その結果、ユーザが興味を示す商品について比較しやすいメニュー画面を提供できる。
【００４６】
また、画像表示装置１００は、複数の商品の組合せに関する情報を含むようにメニュー画面の表示内容を変更する。その結果、ユーザが興味を示す商品について、より比較しやすいメニュー画面を提供できる。
【００４７】
また、画像表示装置１００は、複数の商品の組合せを除く商品に関する画像の表示内容を変更する。その結果、ユーザが興味を示す商品について、より比較しやすいメニュー画面を提供できる。
【００４８】
また、画像表示装置１００は、変更後のメニュー画面に対する視線が複数の商品の組合せから外れた場合に、メニュー画面の表示内容を変更前の表示内容に戻す。その結果、ユーザが新たに興味を示す商品を含めて、商品を比較しやすいメニュー画面を提供できる。
【００４９】
また、画像表示装置１００は、視線が停留した複数の商品を複数の商品の組合せに決定する。その結果、ユーザが興味を示す商品の組合せを決定できる。
【００５０】
また、画像表示装置１００は、視線が指定回数以上繰り返し移動した複数の商品を複数の商品の組合せに決定する。その結果、ユーザが興味を示す商品の組合せを決定できる。
【００５１】
また、画像表示装置１００は、視線が指定時間以上停留した複数の商品を複数の商品の組合せに決定する。その結果、ユーザが興味を示す商品の組合せを決定できる。
【００５２】
なお、上記実施例では、決定部１３１は、１つのメニュー画面１０に表示される複数の商品Ａ〜Ｆから比較商品Ａ、Ｆの組合せを決定したが、これに限定されない。決定部１３１は、例えば、異なるメニュー画面に表示される複数の商品の中から比較商品の組合せを決定してもよい。例えば、第１のメニュー画面を表示している状態で次の第２のメニュー画面への遷移操作を受付部が受け付けたことで、第２のメニュー画面に遷移したものとする。ユーザの視線が第２のメニュー画面に表示される商品Ｈ（図示せず）に停留した後、前の第１のメニュー画面へ遷移する操作を受け付けたことで、第１のメニュー画面に遷移し、ユーザの視線が第１のメニュー画面に表示される商品Ａに停留したとする。この場合、決定部１３１は、商品Ａ、Ｈを比較商品の組合せに決定してもよい。このように、異なるメニュー画面であっても、ユーザの視線が往復した複数の商品を比較商品に決定することで、画像表示装置１００は、好適なメニュー画面を提供できる。
【００５３】
このように、画像表示装置１００は、異なるメニュー画面に含まれる複数の商品のなかから複数の商品の組合せを決定する。また、画像表示装置１００は、表示部１１２に表示されたメニュー画面の表示内容を、複数の商品の組合せに応じて変更する。その結果、好適なメニュー画面を提供できる。上述のように好適なメニュー画面を提供できることにより、例えば、複数の商品の間で購入商品を迷っているユーザに対して、いずれかの商品の購入を決定する行動を促すことができるようになる。
【００５４】
なお、上記実施例では、抽出部１３３は、特定部１３２が特定した商品の特徴を抽出するとしたが、これに限定されない。例えば、変更部１４０が、比較商品の組合せに応じて、比較商品に関する画像を強調表示する場合、抽出部１３３による特徴抽出の処理を省略してもよい。この場合、画像表示装置１００は、抽出部１３３の機能を省略することもできる。
【００５５】
また、上記の説明においては、メニュー画面に、複数の商品についての画像を表示する例と挙げて説明したが、表示対象とする内容を商品に限る必要はない。例えば、本や記事のような文書の一覧を各メニュー画面の表示内容としてもよい。また、図示した各部の各構成要素は、必ずしも物理的に図示の如く構成されていることを要しない。すなわち、各部の分散・統合の具体的形態は図示のものに限られず、その全部または一部を、各種の負荷や使用状況等に応じて、任意の単位で機能的または物理的に分散・統合して構成することができる。例えば、特定部１３２と抽出部１３３とを統合してもよい。また、図示した各処理は、上記の順番に限定されるものではなく、処理内容を矛盾させない範囲において、同時に実施してもよく、順序を入れ替えて実施してもよい。
【００５６】
さらに、各装置で行われる各種処理機能は、ＣＰＵ（またはＭＰＵ、ＭＣＵ（Micro  Controller  Unit）等のマイクロ・コンピュータ）上で、その全部または任意の一部を実行するようにしてもよい。また、各種処理機能は、ＣＰＵ（またはＭＰＵ、ＭＣＵ等のマイクロ・コンピュータ）で解析実行されるプログラム上、またはワイヤードロジックによるハードウェア上で、その全部または任意の一部を実行するようにしてもよいことは言うまでもない。
【００５７】
ところで、上記の実施例で説明した各種の処理は、予め用意されたプログラムをコンピュータで実行することで実現できる。そこで、以下では、上記の実施例と同様の機能を有するプログラムを実行するコンピュータの一例を説明する。図１２は、表示制御プログラムを実行するコンピュータの一例を示す図である。
【００５８】
図１２に示すように、コンピュータ２００は、各種演算処理を実行するＣＰＵ２０１と、データ入力を受け付ける入力装置２０２と、モニタ２０３とを有する。また、コンピュータ２００は、記憶媒体からプログラム等を読み取る媒体読取装置２０４と、各種装置と接続するためのインタフェース装置２０５と、他の情報処理装置等と有線または無線により接続するための通信装置２０６とを有する。また、コンピュータ２００は、各種情報を一時記憶するＲＡＭ２０７と、ハードディスク装置２０８とを有する。また、各装置２０１〜２０８は、バス２０９に接続される。
【００５９】
ハードディスク装置２０８には、図１に示した視線検出部１１１、決定部１３１および変更部１４０の各処理部と同様の機能を有する表示制御プログラムが記憶される。また、ハードディスク装置２０８には、商品ＤＢ１２０および表示制御プログラムを実現するための各種データが記憶される。入力装置２０２は、例えば、コンピュータ２００のユーザから操作情報等の各種情報の入力を受け付ける。モニタ２０３は、例えば、コンピュータ２００のユーザに対して出力画面等の各種画面を表示する。媒体読取装置２０４は、記憶媒体から各種データを読み取る。インタフェース装置２０５は、例えば印刷装置等が接続される。通信装置２０６は、例えば、図示しないネットワークと接続され、他の情報処理装置と各種情報をやりとりする。
【００６０】
ＣＰＵ２０１は、ハードディスク装置２０８に記憶された各プログラムを読み出して、ＲＡＭ２０７に展開して実行することで、各種の処理を行う。また、これらのプログラムは、コンピュータ２００を図１に示した視線検出部１１１、決定部１３１および変更部１４０として機能させることができる。
【００６１】
なお、上記の表示制御プログラムは、必ずしもハードディスク装置２０８に記憶されている必要はない。例えば、コンピュータ２００が読み取り可能な記憶媒体に記憶されたプログラムを、コンピュータ２００が読み出して実行するようにしてもよい。コンピュータ２００が読み取り可能な記憶媒体は、例えば、ＣＤ−ＲＯＭやＤＶＤディスク、ＵＳＢメモリ等の可搬型記録媒体、フラッシュメモリ等の半導体メモリ、ハードディスクドライブ等が対応する。また、公衆回線、インターネット、ＬＡＮ等に接続された装置にこの表示制御プログラムを記憶させておき、コンピュータ２００がこれらから表示制御プログラムを読み出して実行するようにしてもよい。
【００６２】
以上、本実施例を含む実施の形態に関し、さらに以下の付記を開示する。
【００６３】
（付記１）表示部に表示された、複数の商品に関する複数の画像を含むメニュー画面に対するユーザの視線に基づき、前記複数の商品のなかから複数の商品の組合せを決定する決定部と、
前記表示部に表示されたメニュー画面の表示内容を、前記複数の商品の組合せに応じて変更する変更部と、
を有することを特徴とする画像表示装置。
【００６４】
（付記２）前記変更部は、前記複数の商品の組合せに関する前記複数の画像の組合せが互いに隣接するように前記メニュー画面の表示内容を変更する、
ことを特徴とする付記１に記載の画像表示装置。
【００６５】
（付記３）前記変更部は、前記複数の商品の組合せに関する前記複数の画像を強調表示する、
ことを特徴とする付記１または２に記載の画像表示装置。
【００６６】
（付記４）前記変更部は、前記複数の商品の組合せに関する情報を含むように前記メニュー画面の表示内容を変更する、
ことを特徴とする付記１〜３のいずれか１つに記載の画像表示装置。
【００６７】
（付記５）前記変更部は、前記複数の商品の組合せを除く商品に関する画像の表示内容を変更する、
ことを特徴とする付記１〜４のいずれか１つに記載の画像表示装置。
【００６８】
（付記６）前記変更部は、変更後の前記メニュー画面に対する前記視線が前記複数の商品の組合せから外れた場合に、前記メニュー画面の表示内容を変更前の表示内容に戻す、
ことを特徴とする付記１〜５のいずれか１つに記載の画像表示装置。
【００６９】
（付記７）前記決定部は、前記視線が停留した複数の商品を前記複数の商品の組合せに決定する、
ことを特徴とする付記１〜６のいずれか１つに記載の画像表示装置。
【００７０】
（付記８）前記決定部は、前記視線が指定回数以上繰り返し移動した複数の商品を前記複数の商品の組合せに決定する、
ことを特徴とする付記１〜６のいずれか１つに記載の画像表示装置。
【００７１】
（付記９）前記決定部は、前記視線が指定時間以上停留した複数の商品を前記複数の商品の組合せに決定する、
ことを特徴とする付記１〜６のいずれか１つに記載の画像表示装置。
【００７２】
（付記１０）表示部に表示された、複数の商品に関する複数の画像を含むメニュー画面に対するユーザの視線に基づき、前記複数の商品のなかから複数の商品の組合せを決定し、
前記表示部に表示されたメニュー画面の表示内容を、前記複数の商品の組合せに応じて変更する、
処理をコンピュータが実行することを特徴とする表示制御方法。
【００７３】
（付記１１）前記複数の商品の組合せに関する前記複数の画像の組合せが互いに隣接するように前記メニュー画面の表示内容を変更する、
ことを特徴とする付記１０に記載の表示制御方法。
【００７４】
（付記１２）前記複数の商品の組合せに関する前記複数の画像を強調表示する、
ことを特徴とする付記１０または１１に記載の表示制御方法。
【００７５】
（付記１３）前記複数の商品の組合せに関する情報を含むように前記メニュー画面の表示内容を変更する、
ことを特徴とする付記１０〜１２のいずれか１つに記載の表示制御方法。
【００７６】
（付記１４）前記複数の商品の組合せを除く商品に関する画像の表示内容を変更する、
ことを特徴とする付記１０〜１３のいずれか１つに記載の表示制御方法。
【００７７】
（付記１５）変更後の前記メニュー画面に対する前記視線が前記複数の商品の組合せから外れた場合に、前記メニュー画面の表示内容を変更前の表示内容に戻す、
ことを特徴とする付記１０〜１４のいずれか１つに記載の表示制御方法。
【００７８】
（付記１６）前記視線が停留した複数の商品を前記複数の商品の組合せに決定する、
ことを特徴とする付記１０〜１５のいずれか１つに記載の表示制御方法。
【００７９】
（付記１７）前記視線が指定回数以上繰り返し移動した複数の商品を前記複数の商品の組合せに決定する、
ことを特徴とする付記１０〜１５のいずれか１つに記載の表示制御方法。
【００８０】
（付記１８）前記視線が指定時間以上停留した複数の商品を前記複数の商品の組合せに決定する、
ことを特徴とする付記１０〜１５のいずれか１つに記載の表示制御方法。
【００８１】
（付記１９）表示部に表示された、複数の商品に関する複数の画像を含むメニュー画面に対するユーザの視線に基づき、前記複数の商品のなかから複数の商品の組合せを決定し、
前記表示部に表示されたメニュー画面の表示内容を、前記複数の商品の組合せに応じて変更する、
処理をコンピュータに実行させることを特徴とする表示制御プログラム。
【００８２】
（付記２０）前記複数の商品の組合せに関する前記複数の画像の組合せが互いに隣接するように前記メニュー画面の表示内容を変更する、
ことを特徴とする付記１９に記載の表示制御プログラム。
【００８３】
（付記２１）前記複数の商品の組合せに関する前記複数の画像を強調表示する、
ことを特徴とする付記１９または２０に記載の表示制御プログラム。
【００８４】
（付記２２）前記複数の商品の組合せに関する情報を含むように前記メニュー画面の表示内容を変更する、
ことを特徴とする付記１９〜２１のいずれか１つに記載の表示制御プログラム。
【００８５】
（付記２３）前記複数の商品の組合せを除く商品に関する画像の表示内容を変更する、
ことを特徴とする付記１９〜２２のいずれか１つに記載の表示制御プログラム。
【００８６】
（付記２４）変更後の前記メニュー画面に対する前記視線が前記複数の商品の組合せから外れた場合に、前記メニュー画面の表示内容を変更前の表示内容に戻す、
ことを特徴とする付記１９〜２３のいずれか１つに記載の表示制御プログラム。
【００８７】
（付記２５）前記視線が停留した複数の商品を前記複数の商品の組合せに決定する、
ことを特徴とする付記１９〜２４のいずれか１つに記載の表示制御プログラム。
【００８８】
（付記２６）前記視線が指定回数以上繰り返し移動した複数の商品を前記複数の商品の組合せに決定する、
ことを特徴とする付記１９〜２４のいずれか１つに記載の表示制御プログラム。
【００８９】
（付記２７）前記視線が指定時間以上停留した複数の商品を前記複数の商品の組合せに決定する、
ことを特徴とする付記１９〜２４のいずれか１つに記載の表示制御プログラム。
【符号の説明】
【００９０】
１００  画像表示装置
１１１  視線検出部
１１２  表示部
１２０  商品データベース
１３０  制御部
１３１  決定部
１３２  特定部
１３３  抽出部
１３４  判定部
１３５  表示決定部
１４０  変更部
【図１】
2017146941.tif 000003
【図２】
2017146941.tif 000004
【図３】
2017146941.tif 000005
【図４】
2017146941.tif 000006
【図５】
2017146941.tif 000007
【図６】
2017146941.tif 000008
【図７】
2017146941.tif 000009
【図８】
2017146941.tif 000010
【図９】
2017146941.tif 000011
【図１０】
2017146941.tif 000012
【図１１】
2017146941.tif 000013
【図１２】
2017146941.tif 000014